【事件の表示】
　特願２０１５−　８３２１３号「清掃具」拒絶査定不服審判事件〔平成２７年１１月１６日出願公開，特開２０１５−２０２４１３号〕について，次のとおり審決する。
【結　論】
　本件審判の請求は，成り立たない。
【理　由】
第１　手続の経緯　
　本願は，平成２７年　４月１５日（パリ条約による優先権主張　２０１４年　４月１６日，英国）の特許出願であって，平成２７年　６月１２日に翻訳文が提出され，平成２８年　２月２４日付けで拒絶理由を通知し（発送日：同年　２月２９日），平成２８年　６月２１日に意見書，手続補正書が提出され，同年１１月２９日付けで拒絶理由を通知し（発送日：同年１２月　５日），平成２９年　５月　１日に意見書，手続補正書が提出されたが同年１０月３０日付けで拒絶査定（送達日：同年１１月　６日）がなされ，これに対して，平成３０年　３月　６日に本件拒絶査定不服審判の請求がなされると同時に手続補正書が提出された。
　そして，平成３１年　２月１３日付けで当審により拒絶理由を通知し（発送日：同年　２月１８日），令和元年　８月１５日に意見書，手続補正書が提出された。
 第２　本願発明
　本願の請求項１ないし１３に係る発明は，令和元年　８月１５日付け手続補正書により補正された特許請求の範囲の請求項１ないし１３に記載された事項により特定されるものと認められるところ，その請求項１に係る発明（以下「本願発明」という。）は，以下のとおりである。
「【請求項１】
　分離器と，空気流発生器と，利用の際に携行式真空掃除機を操作するためのハンドルと，第１のコネクタとを備えている前記携行式真空掃除機と，
　清掃器具が前記分離器と流通するように前記第１のコネクタと係合する第２のコネクタを備えている前記清掃器具であって，前記第２のコネクタがキャッチを備えている，前記清掃器具と，
　を備えている清掃具において，
　前記キャッチが，前記第２のコネクタが前記第１のコネクタから接続解除されることが防止される第１の状態と，前記第２のコネクタが前記第１のコネクタから接続解除可能とされる第２の状態とを有しており，
　前記第２のコネクタが，挿入部分を有しているオス型コネクタとされ，
　前記第１のコネクタが，前記第２のコネクタの前記挿入部分を受容するように構成されている受容部分を有しているメス型コネクタとされ，
　前記第２のコネクタの前記挿入部分が，円筒状に形成されており，前記第２のコネクタの係合軸線を規定している長手方向軸線を有していることを特徴とする清掃具。」
第３　当審の拒絶の理由
　当審が通知した拒絶の理由のうち理由Ａの概要は，以下のとおりである
Ａ．本件出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
・請求項１
・引用文献等　１〜７
・備考
　引用文献１を主引用例とする拒絶理由として，引用発明１（引用文献１に記載された発明）に引用文献３〜引用文献６に記載された周知の事項を適用することにより，請求項１に係る発明の構成とすることは，当業者が適宜なし得たものである。 
　引用文献２を主引用例とする拒絶理由として，引用発明２（引用文献２に記載された発明）に引用文献３〜引用文献６に記載された周知の事項を適用することにより，請求項１に係る発明の構成とすることは，当業者が適宜なし得たものである。
　引用文献３を主引用例とする拒絶理由として，引用発明３（引用文献３に記載された発明）に引用文献１，引用文献２，引用文献７に記載された周知の事項を適用することにより，請求項１に係る発明の構成とすることは，当業者が適宜なし得たものである。
・請求項　２〜１３ 
・引用文献等　１〜７ 
・備考 
　請求項２〜９が特定する事項は，引用文献３〜６に記載されている。 
　請求項１０が特定する事項は，引用文献４に記載されている。
　請求項１１が特定する事項は，引用文献１〜４，７に記載されている。 
　請求項１２，１３が特定する事項は，引用文献１，２，７に記載されている。 
引　用　文　献　等　一　覧 
１．米国特許出願公開第２０１２／００３０８９６号明細書 
２．特開２０１１−１８９１３２号公報
３．特開平８−５１６号公報
４．特開２００３−１１６７５４号公報
５．米国特許第２４４４８８８号明細書
６．米国特許第２５１６８８３号明細書
７．特開２０１２−５０５６５号公報
第４　引用文献
（１）当審の拒絶の理由に引用された引用文献３（特開平８−５１６号公報）には，図面と共に以下の事項が記載されている（下線部は当審が付した。以下同様。）。
・「【０００１】
【産業上の利用分野】この発明は，集塵室を設けた電気掃除機本体と，電気掃除機本体に接続されるホースと，このホースの他端に設けられたパイプ部材と，このパイプ部材に設けられた把手部とを備え，前記パイプ部材には，吸込口体に接続される接続管が着脱可能に接続される電気掃除機に関する。」
・「【００１０】
【課題を解決するための手段】この発明は，上記目的を達成するために，集塵室を設けた電気掃除機本体と，
一端が前記電気掃除機本体に接続されるホースと，このホースの他端に設けられたパイプ部材と，このパイプ部材に設けられた把手部とを備え
電気掃除機
【００１１】
【作用】この発明は，パイプ部材に接続管を接続した際，係合部に係合して該接続管をパイプ部材に固定するフックを接続管に設け，前記係合を解除するための解除操作部を接続管側に設けたものであるから，一方の手で把手部を持った掃除状態から他方の手で接続管の解除操作部を操作してフックの係合を解除させて接続管をパイプ体から取り外すことができる。すなわち，把手部を持っていた手を持ち直すことなく接続管をパイプ部材から取り外すことができる。」
・「【００１２】
【実施例】以下，この発明に係わる電気掃除機の実施例を図面に基づいて説明する。
【００１３】
図１において，１０は電気掃除機本体で，この本体１０内には集塵室１１を負圧にする電動送風機１２が設けられ，集塵室１１には集塵フィルタ１３が設けられている。
【００１４】パイプ体２０の先端には，延長管（接続管）３０が着脱可能に接続され，延長管３０には他の延長管（接続管）３１が着脱可能に接続されている。また，延長管３１には吸込口体４０に設けられた接続パイプ４１が着脱可能に接続されている。そして，
吸込口体４０の下面に設けた開口(図示せず)と電気掃除機本体１０の集塵フィルタ１３とが接続パイプ４１,延長管３１,３０,パイプ体２０およびホース１４を介して連通され，吸込口体４０で吸引される塵埃を接続パイプ４１,延長管３１,３０,パイプ体２０およびホース１４を介して集塵フィルタ１２へ吸引するようになっている。
【００１５】吸込口体４０には，上記開口に臨ませて配置された回転ブラシ４２とこの回転ブラシ４２を回転させるブラシモータ４３等が設けられている。ブラシモータ４３は，ホース１４,パイプ体２０,延長管３１,３０および接続パイプ（接続管）４１内に配設された電源供給線(図示せず)によって電気掃除機本体１０から電力が供給されるようになっている。
【００１６】
パイプ体２０は
パイプ部材２１と，パイプ部材２１に設けられた把手部２２と操作部２３とを備えている。
【００１７】パイプ体２０の先端部の端面２０Ａには，図２および図３に示すように，後述するフック５０のアーム部５１が挿入される挿入孔２５が設けられており，
パイプ部材
には突起２６が形成されている
【００１８】
延長管３０は，筒状の延長管本体３３
延長管本体３３の一端には小径の接続部３５が連続形成され
【００１９】延長管本体３３とカバー３４との間に且つ
延長管本体３３の後部には
フック５０が設けらている
フック５０は後方に延びたアーム部５１を有しており
【００２０】このアーム部５１の巾とパイプ体２０の挿入孔２５の巾とがほぼ同一に設定され，アーム部５１の突出した長さは後述するピン５６,５７の長さより長く設定されている。
【００２１】
アーム部５１の後端には爪５１aが設けられ，フック５０の先端側には解除操作部５２が設けられており，
【００２２】フック５０の中間部には，軸部５３が設けられており，この軸部５３が延長管本体３３の上面３３aに形成された軸受部５４に回動自在に係合され，フック５０が軸部５３を支点にして回動可能となっている。また，フック５０の解除操作部５２の下面には凹部５２aが形成され，この凹部５２aと延長管本体３３の上面３３aとの間にスプリング５５が設けられている。このスプリング５５は，フック５０を軸部５３を支点にして時計方向へ回動するように付勢している。３３bはスプリング５５を保持する突起である。
【００２３】また，延長管本体３３の端面３３Ａには，フック５０の先端部５１を挟む位置であってその先端部５１と同方向に延びた２つのピン５６,５７が設けられている。ピン５６,５７は，延長管本体３３とカバー３４との間に配設された電源供給線(図示せず)に接続されている。
【００２４】延長管３１の先端部はパイプ体２０の先端部と同様な構成であり，延長管３２は延長管３１と全く同様な構成となっており，接続パイプ４１は延長管３１の後部と同様な構成となっているので，それら説明は省略する。
【００２５】
延長管３０をパイプ体２０のパイプ部材２１に接続するには，図２に示す延長管本体３３の接続部３５をパイプ部材２１に挿入させる
【００２６】アーム部５１は，挿入孔２５に挿入されると，アーム部５１の巾と挿入孔２５の巾とがほぼ同一に設定されていることにより，延長管３０はパイプ部材２１の周方向に対する位置が決定され，これによりピン５６,５７をピン孔２７a,２７bの位置に一致させる位置決め部材として機能する。そして，延長管３０をさらに矢印方向に挿入させると，ピン５６,５７がピン孔２７a,２７bに挿入される。この際，アーム部５１はピン５６,５７をピン孔２７a,２７bに挿入させるガイド部材として機能する。
【００２７】
延長管本体３３の接続部３５が
パイプ部材２１に完全に挿入されると，フック５０の爪５１aがパイプ部材２１の突起２６に係合する。この係合により延長管３０はパイプ体２０から外れなくなる。
・「【００２９】延長管３１や吸込口体４０の接続パイプ４１を接続する場合も上記と同様にして行うものである。
【００３０】次に，図１の状態から，例えば，パイプ体２０から延長管３０を外す際には，先ず，一方の手は把手部２２を持ったまま，すなわち掃除を行っていたときの状態のまま，他方の手で延長管３０を持つ。そして，この他方の手で
フック５０の解除操作部５２を押圧する。この押圧により，フック５０が回動して爪５１aの突起２６への係合が解除され，解除操作部５２を押圧したまま，延長管３０を矢印方向へ引っ張ることにより該延長管３０はパイプ体２０から外れることとなる
【００３１】すなわち，一方の手は把手部２２を持ったままでよく，掃除を行っていたときの状態から他方の手だけの操作で延長管３０を外すことができる。他の延長管３１や吸込口体４０の接続パイプ４１を外す場合も同様である。
【００３２】このように，一方の手が把手部２２を持って掃除を行っていたときの状態から片方の手の操作で延長管３０,３１や吸込口体４０の接続パイプ４１を外すことができるので，吸込口体４０と他のアタッチメント（丸ブラシ,ノズル）とを交換する際に，その交換操作は早く，しかも簡単に行うことができる。
【００３３】勿論，吸込口体４０の接続パイプ４１にパイプ体２０を接続した場合も同様に取り外すことができる。」
ア．段落【００１３】の下線部の記載事項と図１の図示内容からみて，電気掃除機本体１０には，集塵室１１を負圧にする電動送風機１２と集塵フィルタ１３が設けられていることが理解できる。
イ．段落【００１６】，【００１７】の下線部の記載内容と図１の図示内容からみて，電気掃除機本体１０にホース１４を介して接続されたパイプ体２０は，パイプ部材２１と，パイプ部材２１に設けられた把手部２２と操作部２３と，パイプ部材２１に形成された突起２６を備えていることが理解できる
ウ．上記アとイから，電気掃除機本体１０には，集塵フィルタ１３と，集塵室１１を負圧にする電動送風機１２が設けられ，電気掃除機本体１０にホース１４を介して接続されたパイプ体２０は，電気掃除機本体１０を操作するための把持部２２と操作部２３と，パイプ部材２１及びパイプ部材２１に形成された突起２６とを備えていることが理解できる。
エ．段落【００１４】の下線部の記載内容と図２の図示内容からみて，吸込口体４０，接続パイプ４１，延長管３１，３０と集塵フィルタ１３とが連通され，塵埃を吸引するようにパイプ部材２１と係合する延長管３０を備えている，吸込口体４０，接続パイプ４１，延長管３１，３０が理解できる。
オ．段落【００１８】，【００１９】，【００２７】の下線部の記載事項と図２，図３の図示内容からみて，延長管３０に備えた延長管本体３３の接続部３５がパイプ部材２１に完全に挿入されると，延長管本体３３の後部に設けられたフック５０の爪５１ａがパイプ部材２１の突起２６に係合することが理解でき，言い換えると，延長管３０に備えた延長管本体３３の接続部３５及び延長管本体３３の後部に設けられたフック５０がパイプ部材２１及び突起２６に係合することが理解できる。
カ．上記エとオから，吸込口体４０，接続パイプ４１，延長管３１，３０が集塵フィルタ１３と連通され塵埃を吸引するように，パイプ部材２１及び突起２６と係合する延長管３０の延長管本体３３の接続部３５及びフック５０を備えている，前記吸込口体４０，接続パイプ４１，延長管３１，３０が理解でき，延長管３０の延長管本体３３の接続部３５及びフック５０がフック５０を備えていることは当然である。
キ．段落【００２７】の下線部と段落【００３０】の下線部の記載事項と，図１及び図３の図示内容からみて，フック５０が，延長管本体３３の接続部３５及びフック５０がパイプ本体２１及び突起２６に係合している状態と，延長管本体３３の接続部３５及びフック５０とパイプ部材２１及び突起２６との係合が解除される状態とを有していることが理解できる。
ク．段落【００２５】の下線部の記載事項と図２の図示内容からみて，「延長管本体３３の接続部３５をパイプ部材２１に挿入させる」から，延長管本体３３の接続部３５及びフック５０がパイプ部材２１に挿入される接続部３５を有しているコネクタとされていること，及び，パイプ部材２１及び突起２６のパイプ部材２１が延長管本体３３の接続部３５及びフック５０の挿入される接続部３５を受容するように構成されている部分を有しているコネクタとされていることが理解できる。
ケ．図２及び図４の図示内容からみて，延長管本体３３の接続部３５及びフック５０の挿入される接続部３５が円筒状に形成されていること，および，延長管本体３３の接続部３５及びフック５０の係合軸線を規定する長手方向軸線を有していることが理解できる。
　そうすると，引用文献３には，以下の発明（以下，「引用発明」という。）が記載されていると認められる。
「集塵フィルタ１３と，集塵室１１を負圧にする電動送風機１２とが設けられた電気掃除機本体１０と，
　電気掃除機本体１０を操作するための把持部２２と操作部２３と，パイプ部材２１及びパイプ部材２１に形成された突起２６とを備え，電気掃除機本体１０にホース１４を介して接続されたパイプ体２０と，
　吸込口体４０，接続パイプ４１，延長管３１，３０が前記集塵フィルタ１３と連通され塵埃を吸引するように，前記パイプ部材２１及び突起２６と係合する延長管３０の延長管本体３３の接続部３５及びフック５０を備えている，前記吸込口体４０，接続パイプ４１，延長管３１，３０であって，前記延長管３０の延長管本体３３の接続部３５及びフック５０がフック５０を備えている，前記吸込口体４０，接続パイプ４１，延長管３１，３０と，
　を備えている電気掃除機において，
　前記フック５０が，前記延長管本体３３の接続部３５及びフック５０が前記パイプ部材２１及び突起２６に係合している状態と，前記延長管本体３３の接続部３５及びフック５０と前記パイプ部材２１及び突起２６との係合が解除される状態とを有しており，
　前記延長管本体３３の接続部３５及びフック５０がパイプ部材２１に挿入される接続部３５を有しているコネクタとされ，
　前記パイプ部材２１及び突起２６のパイプ部材２１が，前記延長管本体３３の接続部３５及びフック５０の前記挿入される接続部３５を受容するように構成されている部分を有しているコネクタとされ，
　前記延長管本体３３の接続部３５及びフック５０の前記挿入される接続部３５が，円筒状に形成されており，前記延長管本体３３の接続部３５及びフック５０の係合軸線を規定する長手方向軸線を有している，
　電気掃除機。」
（２）当審の拒絶の理由に引用された引用文献１（米国特許出願公開第２０１２／００３０８９６号明細書）には，図面と共に以下の事項が記載されている（｛｝内は当審による翻訳である。）。
・「TECHNICAL FIELD AND INDUSTRIAL APPLICABILITY OF THE INVENTION 
【０００２】
The present invention relates generally to the cleaning appliance field and, more particularly, to a combined hand-held and conversion vacuum cleaner.」
｛技術分野及び発明の産業上利用可能性
【０００２】 本発明は，一般的に洗浄機器に関し，より詳細には組み合わされた手持ち式真空掃除機に関するものである。｝
・「【００２２】Reference is now made to  FIGS. 1 and 2  illustrating 
the hand-held and conversion vacuum cleaner  10 
The vacuum cleaner  10  includes
a body  14 , an integral control handle  16
｛ここで，本発明の手持ち式真空掃除機10を示す図1および図2を参照する。
真空掃除機10は，本体14，一体型ハンドル16
を含む。
・「【００３３】
In one embodiment of the present invention illustrated in  FIG. 6 , the connector  122  provides for female mechanical connection. In this embodiment 
the vacuum cleaner  10  may be connected directly to the connector  122  of the cleaning attachment  100
the male mechanical connector  44  is plugged directly into the mechanical and electrical connector  122 
the vacuum cleaner  10  is securely locked to the cleaning attachment  100 .
｛【００３３】 図6に示す本発明の一実施形態では，コネクタ122は，雌型の機械的接続を与える。この実施形態では，
真空掃除機10は，清掃用アタッチメント100のコネクタ122に直接接続されてもよい。
雄型機械コネクタ44が機械的および電気的コネクタ122に直接接続される。
，真空掃除機10は，清掃用アタッチメント100に堅固に固定される。
・図６からみて，
手持ち式真空掃除機１０の本体１４に雄型機械コネクタ４４が設けられていること
（３）当審の拒絶の理由に引用された引用文献２（特開２０１１−１８９１３２号公報）には，図面と共に以下の事項が記載されている。
 ・「【技術分野】
【０００１】
　本発明は，真空掃除機の分野に関し，より具体的には，細長吸引ワンドによって床ツールに接続された可搬型吸引ユニットを一般的に含むタイプの「スティックバキューム」掃除機に関する。
・「【００２９】
　図１は，
可搬型真空掃除機３，細長ワンド５，及び床ツール７
【００３０】
　図２を参照すると，可搬型真空掃除機３は，可搬型真空掃除機３の前部に位置決めされた吸引ノズル１１を通って空気を吸い込むためにモータケーシング９の内側に配置された電動ファンを含む。吸引ノズル１１を通して吸い込んだ汚れた空気は，サイクロン分離システム１３を通ってファン発生吸引圧力の下でダクトを通され，そこで，ごみは，比較的清浄な空気が次に１つ又はそれよりも多くの微粒子フィルタ（見えない）を通じて周囲に排出されて戻される前に，空気から分離される。サイクロン分離システム１３の内側の空気流から分離されたごみは，廃棄するためのごみ容器１５に収集される。可搬型真空掃除機３は，バッテリパック１７に収容されたマルチセル再充電可能バッテリで作動する。
【００３１】
　
使用時には，可搬型真空掃除機３は，ハンドル１９を用いて手で運ばれる。
【００３２】
　可搬型掃除機３は，比較的小型である。それにも関わらず，手における均衡した感覚を容易にするために，モータ及びバッテリパック１７のようなより重い構成要素は，意図的にハンドル１９の比較的の近くに位置し，ごみ容器１５のような比較的軽い構成要素は，ハンドル１９から更に離れて位置する。従って，可搬型掃除機３の質量の大部分は，可搬型掃除機３の後部の方向に分配される。
【００３３】
　細長ワンド５は，吸引ノズル１１に接続され，床ツール７は，次に，ワンド５の下端に接続される。汚れた空気は，床ツール５の下部の吸引開口部を通して吸い込まれ，ワンド５を通じて吸引ノズル１１に移動する。
【００３４】
　
キャッチ２１は，可搬型掃除機３を
可搬型掃除機として使用することができるように，可搬型掃除機３からワンド５を切り離すために設けられる。
（４）当審の拒絶の理由に引用された引用文献７（特開２０１２−５０５６５号公報）には，図面と共に以下の事項が記載されている。
・「【技術分野】
【０００１】
　この発明は，ハンディタイプ電気掃除機に関する。」
・「【００２４】
　以下には，図面を参照して，この発明の実施形態について具体的に説明する。
　図１は，この発明の一実施形態に係るハンディタイプ電気掃除機１の右側面図である。図２は，吸込具４のシャッター５４を開いた状態におけるハンディタイプ電気掃除機１の右側面図である。
　以下では，図１におけ
るハンディタイプ電気掃除機（以下では，単に「掃除機」という）１
【００２５】
　
掃除機１は，掃除機本体２と，掃除機本体２から前方へ延びる延長管３と，延長管３の先端に取り付けられた吸込具４とを有している。
＜掃除機本体＞
　図１を参照して，掃除機本体２は，中空の略円筒状をなす本体部５を備えている。本体部５は，その内部に収納される電動送風機６と，電動送風機６の前方に設けられた空間をなす集塵室７とを備えている。掃除機本体２では，重量物である電動送風機６を含む本体部５が重心となる。」
・「【００３３】
　そして，図１に示すように，
延長管３が連結部材８に連結された状態
＜吸込具＞
  吸込具４は，ハウジング５０と，ベンド５１とを含んでいる。」
第５　対比・判断
　本願発明と引用発明とを対比すると，後者の「集塵フィルタ１３」は塵埃を吸引した流れから分離するので前者の「分離器」に相当し，以下同様に，「電動送風機１２」は「空気流発生器」に，「把持部２２」は「ハンドル」に，「パイプ部材２１及びパイプ部材２１に形成された突起２６」又は「パイプ部材２１及び突起２６」は「第１のコネクタ」に，「吸込口体４０，接続パイプ４１，延長管３１，３０」は「清掃器具」に，「連通され塵埃を吸引する」ことは「流通する」ことに，「延長管３０の延長管本体３３の接続部３５及びフック５０」又は「延長管本体３３の接続部３５及びフック５０」は「第２のコネクタ」に，「フック５０」は「キャッチ」に，「係合している状態」は「接続解除されることが防止される第１の状態」に，「係合が解除される状態」は「接続解除可能とされる第２の状態」に，「パイプ部材２１に挿入される接続部３５」又は「挿入される接続部３５」は「挿入部分」に，それぞれ相当する。
　後者の電気掃除機の本体１０内には集塵室１１を負圧にする電動送風機１２が設けられ，パイプ体２０には，電気掃除機本体１０を操作するための把持部２２と，パイプ部材２１及びパイプ部材２１に形成された突起２６が設けられているから，後者の「電気掃除機本体１０」及び「電気掃除機本体１０にホース１４を介して接続されたパイプ体２０」を合わせたものと前者の「携行式真空掃除機」とは「真空掃除機」において共通し，後者の「電気掃除機」は前者の「清掃具」に相当する。
　また，「電気掃除機本体１０を操作するため」には，「利用の際に」「操作」されることは明らかであるから，後者の「集塵フィルタ１３と，集塵室１１を負圧にする電動送風機１２とが設けられた電気掃除機本体１０と，電気掃除機本体１０を操作するための把持部２２と操作部２３と，パイプ部材２１及びパイプ部材２１に形成された突起２６とを備え，電気掃除機本体１０にホース１４を介して接続されたパイプ体２０」と前者の「分離器と，空気流発生器と，利用の際に携行式真空掃除機を操作するためのハンドルと，第１のコネクタとを備えている前記携行式真空掃除機」とは，「分離器と，空気流発生器と，利用の際に真空掃除機を操作するためのハンドルと，第１のコネクタとを備えている前記真空掃除機」において共通する。
　後者の「吸込口体４０，接続パイプ４１，延長管３１，３０が前記集塵フィルタ１３と連通され塵埃を吸引するように，前記パイプ部材２１及び突起２６と係合する延長管３０の延長管本体３３の接続部３５及びフック５０を備えている，前記吸込口体４０，接続パイプ４１，延長管３１，３０であって，前記延長管３０の延長管本体３３の接続部３５及びフック５０がフック５０を備えている，前記吸込口体４０，接続パイプ４１，延長管３１，３０」は前者の「清掃器具が前記分離器と流通するように前記第１のコネクタと係合する第２のコネクタを備えている前記清掃器具であって，前記第２のコネクタがキャッチを備えている，前記清掃器具」に相当する。
　後者の「を備えている電気掃除機」は前者の「を備えている清掃具」に相当する。
　後者の「前記フック５０が，前記延長管本体３３の接続部３５及びフック５０が前記パイプ部材２１及び突起２６に係合している状態と，前記延長管本体３３の接続部３５及びフック５０と前記パイプ部材２１及び突起２６との係合が解除される状態とを有して」いることは，前者の「前記キャッチが，前記第２のコネクタが前記第１のコネクタから接続解除されることが防止される第１の状態と，前記第２のコネクタが第１のコネクタから接続解除可能とされる第２の状態とを有して」いることに相当する。
　後者の「前記延長管本体３３の接続部３５及びフック５０がパイプ部材２１に挿入される接続部３５を有しているコネクタとされ，前記パイプ部材２１及び突起２６のパイプ部材２１が，前記延長管本体３３の接続部３５及びフック５０の前記挿入される接続部３５を受容するように構成されている部分を有しているコネクタとされ」ることは，「前記第２のコネクタが，挿入部分を有しているオス型コネクタとされ，前記第１のコネクタが，前記第２のコネクタの前記挿入部分を受容するように構成されている受容部分を有しているメス型コネクタとされ」ることに相当する。
　後者の「前記延長管本体３３の接続部３５及びフック５０の前記挿入される接続部３５が，円筒状に形成されており，前記延長管本体３３の接続部３５及びフック５０の係合軸線を規定する長手方向軸線を有している」ことは，前者の「前記第２のコネクタの前記挿入部分が，円筒状に形成されており，前記第２のコネクタの係合軸線を規定する長手方向軸線を有している」ことに相当する。
　そうすると，両者は，
「分離器と，空気流発生器と，利用の際に真空掃除機を操作するためのハンドルと，第１のコネクタとを備えている前記真空掃除機と，
　清掃器具が前記分離器と流通するように前記第１のコネクタと係合する第２のコネクタを備えている前記清掃器具であって，前記第２のコネクタがキャッチを備えている，前記清掃器具と，
　を備えている清掃具において，
　前記キャッチが，前記第２のコネクタが前記第１のコネクタから接続解除されることが防止される第１の状態と，前記第２のコネクタが第１のコネクタから接続解除可能とされる第２の状態とを有しており，
　前記第２のコネクタが，挿入部分を有しているオス型コネクタとされ，
　前記第１のコネクタが，前記第２のコネクタの前記挿入部分を受容するように構成されている受容部分を有しているメス型コネクタとされ，
　前記第２のコネクタの前記挿入部分が，円筒状に形成されており，前記第２のコネクタの係合軸線を規定する長手方向軸線を有している，清掃具。」
の点で一致し，以下の点で相違すると認められる。
＜相違点＞
　真空掃除機について，本願発明は，「携行式真空掃除機」であるのに対して，引用発明は，集塵フィルタ１３（分離器）と電動送風機１２（空気流発生器）とが設けられた電気掃除機本体１０と，電動掃除機本体１０を操作するための把持部２２（ハンドル）とパイプ部材２１及び突起２６（第１のコネクタ）とを備え，電動掃除機本体１０にホース１４を介して接続されたパイプ体２０とからなり，携行式とはいえない点。
　上記相違点について検討すると，携行式真空掃除機本体にハンドル及び第１のコネクタを設け，携行式真空掃除機本体に清掃器具を直接接続する構成は，例えば，引用文献１（米国特許出願公開第２０１２／００３０８９６号明細書 ）｛the　hand-held　and　conversionn　vacuum　cleaner　10のbody　14（本願発明の「携行式真空掃除機」に相当）にintegral control handle 16（本願発明の「ハンドル」に相当）とthe　male　mechanical　connector　44（本願発明の「第１のコネクタ」に相当）を設け，the　hand-held　and　conversionn　vacuum　cleaner　10のbody 14（本願発明の「携行式真空掃除機」に相当）にthe　cleanning　attachmenty　100（本願発明の「清掃器具」に相当）が直接接続されている点：特に，段落【００２２】，【００３３】，図６を参照のこと｝，引用文献２（特開２０１１−１８９１３２号公報）｛可搬型真空掃除機３（本願発明の「携行式真空掃除機」に相当）はハンドル１９（本願発明の「ハンドル」に相当）とキャッチ２１を有し，キャッチ２１は，細長ワンド５，床ツール７からなるもの（本願発明の「清掃器具」に相当）を可搬型真空掃除機３から切り離すために設けられているから，可搬型真空掃除機３は，細長ワンド５，床ツール７からなるものを接続又は切り離すための接続部（本願発明の「第１のコネクタ」に相当）を有することは明らかである。：段落【００２９】〜【００３４】，図１，図２を参照のこと｝，引用文献７（特開２０１２−５０５６５号公報）｛ハンディタイプ電気掃除機１の掃除機本体２（本願発明の「携行式真空掃除機」に相当）にハンドル２０（本願発明の「ハンドル」に相当）と連結部材８（本願発明の「第１のコネクタ」に相当）を設け，掃除機本体２の連結部材８に延長管３及び吸込具４からなるもの（本願発明の「清掃器具」に相当）を直接連結（接続）した点：段落【００２４】，【００２５】，【００３３】，図１を参照のこと｝に記載されており，周知の事項である。 
　そうすると，引用発明と上記周知の事項とは，電気掃除機を操作するためのハンドルを備えた部位に清掃器具を接続可能とする真空清掃機という点で共通し，掃除機の形状として携行式掃除機は一般的であるから，引用発明に上記周知の事項を適用し，引用発明の電気掃除機本体１０を携行式真空掃除機本体とするとともに，当該携行式真空掃除機本体に把持部２２（ハンドル）とパイプ部材２１及び突起２６（第１のコネクタ）を備えるものとして，相違点に係る本願発明の構成とすることは，当業者が容易に想到し得たことである。 
　そして，本願発明の効果について検討しても，引用発明及び上記周知の事項から予測されるものから格別のものとはいえない。
　したがって，本願発明は，引用発明，上記周知の事項に基いて当業者が容易に発明をすることができたものである。
第６　請求人の主張について
　請求人は，令和元年８月１５日付け意見書にて，引用文献１を主引用例とした理由について反論している。
　しかしながら，引用文献３を主引用例とした理由については，何ら反論しておらず，上記第５で述べたように本願発明は，引用発明（引用文献３に記載された発明）に上記周知の事項を適用することにより，当業者が容易になし得たものである。
第７　むすび　
　以上のとおり，本願発明は，引用発明，上記周知の事項に基いて当業者が容易に発明をすることができたものであるから，特許法第２９条第２項の規定により特許を受けることができない。
　そうすると，本願は，他の請求項に係る発明について検討するまでもなく，拒絶されるべきである。　
　よって，結論のとおり審決する。